【手続補正書】
【提出日】平成27年8月5日(2015.8.5)
【手続補正１】
【補正対象書類名】明細書
【補正対象項目名】００３７
【補正方法】変更
【補正の内容】
【００３７】
制御部２０は、加圧ポンプ３１および流量制御弁１００Ａを駆動するための制御信号を加圧ポンプ駆動回路３４および流量制御弁駆動回路３５にそれぞれ入力したり、測定結果としての血圧値を表示部２１やメモリ部２２に入力したりする。また、制御部２０は、圧力センサ３３によって検出された圧力値に基づいて被験者の血圧値を取得する血圧情報取得部（不図示）を含んでおり、この血圧情報取得部によって取得された血圧値が、測定結果として上述した表示部２１やメモリ部２２に入力される。なお、血圧計１は、測定結果としての血圧値を外部の機器（たとえばＰＣ（Personal Computer）やプリンタ等）に出力する出力部を別途有していてもよい。出力部としては、たとえばシリアル通信回線や各種の記録媒体への書き込み装置等が利用可能である。
【手続補正２】
【補正対象書類名】明細書
【補正対象項目名】００８０
【補正方法】変更
【補正の内容】
【００８０】
図７に示すように、従来例に係る流量制御弁１００Ｘにあっては、弁体によって流出口が閉鎖される閉鎖位置がコアとプランジャとが接触した位置であり、実際にはその流量制御が困難ではあるが仮にその流量制御が可能であるとした場合の流量制限状態におけるコアとプランジャとの間の距離は、概ね０［ｍｍ］付近の距離となる。そのため、この範囲（図中において符号Ｂで示す範囲）において駆動電圧を調節することによってソレノイドコイルに印加する電流の大きさを変化させると、得られるプランジャの駆動力は大きい反面、プランジャの駆動力が急激に増減してしまうことになり、精緻な流量の制御が事実上行なえないものとなってしまうことが理解される。
【手続補正３】
【補正対象書類名】明細書
【補正対象項目名】００８３
【補正方法】変更
【補正の内容】
【００８３】
なお、上述した閉鎖位置は、血圧計１の仕様に応じて適宜最適な大きさに設定されることになるが、一般的な血圧計の仕様を考慮した場合には、急激な駆動力の変化が生じないこととなるように、少なくとも０．２ｍｍ以上とされることが好ましい。また、流量コントロール時においては、当該閉鎖位置からさらに所定距離だけ離れた位置から流量の制御が行なわれるように設定することが好ましい。
【手続補正４】
【補正対象書類名】明細書
【補正対象項目名】００９３
【補正方法】変更
【補正の内容】
【００９３】
より詳細には、図１０に示すように、制御部２０は、カフ圧の減圧速度が予め定めた目標速度に合致しているか否かを圧力センサ３３によって検出されたカフ圧の変化に基づいて判断する（ステップＳ１０５）。制御部２０は、カフ圧の減圧速度が予め定めた目標速度に合致していないと判断した場合（ステップＳ１０５においてＮＯの場合）に、減圧速度が目標速度よりも大きいか否かを判断する（ステップＳ１０６）。制御部２０は、減圧速度が目標速度よりも大きいと判断した場合（ステップＳ１０６においてＹＥＳの場合）に、流量制御弁１００Ａに対する駆動電圧を僅かに上げて弁体１５０Ａを閉方向に移動させて減圧速度を遅め（ステップＳ１０７）、減圧速度が目標速度よりも小さいと判断した場合（ステップＳ１０６においてＮＯの場合）に、流量制御弁１００Ａに対する駆動電圧を僅かに下げて弁体１５０Ａを開方向に移動させて減圧速度を速め（ステップＳ１０８）、その後いずれの場合にも引き続き圧縮空気の排出の流量制御を行なう（ステップＳ１０５に戻る）。
【手続補正５】
【補正対象書類名】明細書
【補正対象項目名】０１０８
【補正方法】変更
【補正の内容】
【０１０８】
より詳細には、図１５に示すように、制御部２０は、カフ圧の加圧速度が予め定めた目標速度に合致しているか否かを圧力センサ３３によって検出されたカフ圧の変化に基づいて判断する（ステップＳ２０５）。制御部２０は、カフ圧の加圧速度が予め定めた目標速度に合致していないと判断した場合（ステップＳ２０５においてＮＯの場合）に、加圧速度が目標速度よりも小さいか否かを判断する（ステップＳ２０６）。制御部２０は、加圧速度が目標速度よりも小さいと判断した場合（ステップＳ２０６においてＹＥＳの場合）に、流量制御弁１００Ａに対する駆動電圧を僅かに上げて弁体１５０Ａを閉方向に移動させて加圧速度を速め（ステップＳ２０７）、加圧速度が目標速度よりも大きいと判断した場合（ステップＳ２０６においてＮＯの場合）に、流量制御弁１００Ａに対する駆動電圧を僅かに下げて弁体１５０Ａを開方向に移動させて加圧速度を遅め（ステップＳ２０８）、その後いずれの場合にも引き続き圧縮空気の排出の流量制御を行なう（ステップＳ２０５に戻る）。
【手続補正６】
【補正対象書類名】明細書
【補正対象項目名】０１２０
【補正方法】変更
【補正の内容】
【０１２０】
図１９に示すように、第２変形例に係る流量制御弁１００Ｃは、上述した本実施の形態における流量制御弁１００Ａと比較した場合に、コア１３０の軸方向端面１３３およびプランジャ１４０の軸方向端面１４３の形状において相違している。具体的には、第２変形例に係る流量制御弁１００Ｃにあっては、プランジャ１４０の軸方向端面１４３が、円錐台状に窪んだ形状を有しており、コア１３０の軸方向端面１３３が、円錐台状に膨らんだ形状を有している。
【手続補正７】
【補正対象書類名】明細書
【補正対象項目名】０１４２
【補正方法】変更
【補正の内容】
【０１４２】
（実施の形態２）
図２５は、本発明の実施の形態２における流量制御弁の模式断面図である。また、図２６ないし図２８は、本実施の形態における流量制御弁の動作を示す要部拡大断面図である。ここで、図２６は、流量制御弁の開放状態を示しており、図２７は、流量制御弁の閉鎖状態を示しており、図２８は、流量制御弁の流量制限状態を示している。以下、これら図２５ないし図２８を参照して、本実施の形態における流量制御弁１００Ｉの具体的な構成およびその動作について説明する。なお、本実施の形態における流量制御弁１００Ｉも、上述した実施の形態１における流量制御弁１００Ａと同様に、ノーマリーオープン型のソレノイド式流量制御弁である。
【手続補正８】
【補正対象書類名】明細書
【補正対象項目名】０１４８
【補正方法】変更
【補正の内容】
【０１４８】
弁部１５４は、略筒形状を有する支持部１５５の周方向の所定部位から延びており、撓み変形することによって流出口１３２を閉鎖したり開放したりするものである。ここで、弁部１５４は、無負荷状態において流出口１３２を開放させるように構成されており、プランジャ１４０の軸方向端面１４３によって流量制御弁１００Ｉの軸方向に沿って押圧されることにより、流出口１３２を閉鎖する。
【手続補正９】
【補正対象書類名】明細書
【補正対象項目名】０１４９
【補正方法】変更
【補正の内容】
【０１４９】
図２６に示すように、流量制御弁１００Ｉの非作動時においては、ソレノイドコイル１２１に通電が行なわれていない無通電状態にあり、磁気回路は形成されない。そのため、プランジャ１４０は、コア１３０に引き寄せられることはなく、スプリング１６０の付勢力によって流量制御弁１００Ｉの軸方向に沿ってコア１３０から所定の距離Ｌ１だけ遠ざかった位置に配置される。その際に弁体１５０Ｂの弁部１５４が配置される位置を第１の位置とすると、当該第１の位置は、弁部１５４が流出口１３２から所定の距離だけ離れた位置となる。
【手続補正１０】
【補正対象書類名】明細書
【補正対象項目名】０１５０
【補正方法】変更
【補正の内容】
【０１５０】
この状態においては、流出口１３２が弁体１５０Ｂの弁部１５４によって閉鎖されておらず、開放されて全開した状態にある。したがって、ノズル部１３１に連通する圧迫用空気袋４２の内部に存する圧縮空気が当該流出口１３２を介してコア１３０とプランジャ１４０との間に位置する空間に排出されることになり、さらにはボビン１２０とプランジャ１４０との間の隙間を経由して流量制御弁１００Ｉの外部へと排出される。
【手続補正１１】
【補正対象書類名】明細書
【補正対象項目名】０１５１
【補正方法】変更
【補正の内容】
【０１５１】
図２７および図２８に示すように、流量制御弁１００Ｉの作動時においては、ソレノイドコイル１２１に通電が行なわれた通電状態にあり、フレーム１１０、コア１３０、プランジャ１４０およびベース１１１を磁束が通るように磁気回路が形成される。そのため、プランジャ１４０は、スプリング１６０の付勢力に抗して流量制御弁１００Ｉの軸方向に沿ってコア１３０側に向けて引き寄せられることになる。
【手続補正１２】
【補正対象書類名】明細書
【補正対象項目名】０１５３
【補正方法】変更
【補正の内容】
【０１５３】
本実施の形態における流量制御弁１００Ｉにあっては、弁体１５０Ｂの弁部１５４が流出口１３２を完全に閉鎖する第２の位置にある状態において、プランジャ１４０がコア１３０に非接触となるように構成されており、そのため、プランジャ１４０は、当該状態において流量制御弁１００Ｉの軸方向に沿ってコア１３０から所定の距離Ｌ２だけ遠ざかった位置に配置される。これは、上述したようにコア１３０の突出部１３５が弁体１５０Ｂによって覆われていることが主として起因している。
【手続補正１３】
【補正対象書類名】明細書
【補正対象項目名】０１５６
【補正方法】変更
【補正の内容】
【０１５６】
ここで、流出口１３２の開口面と弁体１５０Ｂの弁部１５４の流出口１３２側に位置する主面との間の距離は、コア１３０とプランジャ１４０との間の距離Ｌによって決まり、当該距離Ｌは、ソレノイドコイル１２１に印加される電流の大きさを制御することで可変に調節される。そのため、当該距離Ｌを調節すべく流量制御弁１００Ｉの駆動電圧を調節することにより、流出口１３２から流出する圧縮空気の流量が可変に調節できることになる。
【手続補正１４】
【補正対象書類名】明細書
【補正対象項目名】０１５７
【補正方法】変更
【補正の内容】
【０１５７】
したがって、本実施の形態における流量制御弁１００Ｉとすることにより、上述した実施の形態１における流量制御弁１００Ａとした場合と同様に、従来困難であった精緻な流量の制御が可能になる。そのため、当該流量制御弁１００Ｉを排出弁として備えた血圧計とすることにより、圧迫用空気袋４２の内圧を精緻に制御することが可能になるとともに、別途、流量制御機構を設ける必要もなくなるため、簡素な構成が実現可能になる。